(57)【要約】【課題】基板上に配線接続されるワイヤを、安価で容易且つ確実に所定の位置に懸架するワイヤ処理構造、及び当該ワイヤ処理構造を適用したテレビジョンを提供する【解決手段】プリント配線基板の不要部分に分離可能なスペーサ１７を予め形成し、メイン基板１２上にスペーサ１７を装着するための貫通穴１８を設け、テレビジョン組立て時に、プリント配線基板から分離したスペーサ１７をメイン基板１２の貫通穴１８に挿入、回転係止した上、回転規制突起１５，１５間に挟配置して回転を規制し、ホルダー部１７ａでワイヤを懸架支持する。【選択図】図２
2008243955.tif 000002
【特許請求の範囲】
【請求項１】
外部から入力された映像信号に基づいて所定の映像をディスプレイの画面に表示するテレビジョンにおいて、
当該テレビジョンは、
前記ディスプレイと、
受信されるテレビ放送信号から選択されているチャンネルの放送信号を抽出し、出力するチューナと、
映像、音声、電源等の制御処理を行うメイン基板と、
電源オン／オフ、チャンネル選択、音量調整等をワイヤレスで操作するリモコンと、
当該リモコンからの操作に伴いテレビジョン本体に送信される赤外線信号を受光する赤外線受光基板と、
前記メイン基板と前記赤外線受光基板間の制御信号を送受信するワイヤとを有し、
前記メイン基板は、配線レイアウトの行われない所定部分に、基板上に前記ワイヤを懸架するために使用時に分離可能なスペーサが少なくとも１つ形成されると共に、前記ワイヤを懸架する所定の箇所には、前記スペーサを立設する貫通穴と、当該貫通穴に立設されたスペーサの回転を規制する回転規制突起が形成され、
前記スペーサは、上部に前記ワイヤを挿入可能な程度の幅を有する開放部が設けられると共に下部に水平部を有した略Ｃ字状のホルダー部と、ホルダー部の開放部に対向する位置から下方に基板厚と略同一の長さだけ直線状に伸延する支持部と、支持部よりも拡幅し、支持部に略逆Ｔ字状に繋がる係止部とを有すると共に、当該係止部とメイン基板本体とがミシン目を介して使用時に分離可能に配置されて成り、
前記貫通穴は、スペーサの前記係止部の幅より若干大きい長辺と、前記係止部の板厚より若干大きい短辺とを有する方形穴と、当該方形穴の中心にその中心が略一致し、スペーサの前記支持部より若干大きい直径を有する円形穴とが合体して成り、
前記回転規制突起は、前記円形穴と同心で前記ホルダー部の水平部長さ以下の直径を有した円周上に、前記方形穴に対する直交線を挟んでスペーサの前記ホルダ部の板厚と同じか若干大きい距離だけ離間して相対するように方形穴の両側に各々１対、計４つの円形ランドをパターン成形すると共に、当該円形ランドに半田付けを行なうことで形成し、
前記テレビジョンの組立て時には、前記スペーサを前記メイン基板から分離し、係止部をメイン基板に設けられた前記貫通穴に挿入した後に支持部をメイン基板断面高さに一致させて、支持部中心に円形穴内で９０°回転させてホルダー部の水平部の両端を各々、対応する対の回転規制突起の一方を乗り越えさせて、回転規制突起間に位置させることで回転方向の位置固定を行い所定の位置に立設した後、
メイン基板と前記赤外線受光基板間の制御信号を送受信するワイヤをスペーサのホルダ部の前記開放部から挿入して環内に把持することで、ワイヤを所定の位置に懸架せしめることを特徴とする、テレビジョン。
【請求項２】
電子機器に搭載されるプリント配線基板の所定部分に、電子機器内に配線されるワイヤを基板上の所定の位置に懸架するために使用時に分離可能なスペーサを予め形成すると共に、基板上の所定の位置には、当該スペーサを装着するための貫通穴が設けられ、
前記スペーサは略逆Ｔ字状の係止部を有する一方、前記貫通穴は当該係止部が挿入後回転されて係止可能な方形穴を有し、
電子機器の組立て時に、プリント配線基板から分離した前記スペーサを前記貫通穴に挿入、回転係止して基板上に設け、ワイヤを当該スペーサで懸架することを特徴とする、ワイヤ処理構造。
【請求項３】
前記スペーサは、前記ワイヤが挿入可能な程度の幅を有する開放部が設けられた略Ｃ字状のホルダー部と、ホルダー部から下方に基板厚と略同一の長さだけ直線状に伸延する支持部と、支持部よりも拡幅し、支持部に略逆Ｔ字状に繋がる係止部とを有すると共に、当該係止部とプリント配線基板本体とがミシン目を介して使用時に分離可能に配置されて成る一方、
前記貫通穴は、スペーサの前記係止部の幅より若干大きい長辺と、前記係止部の板厚より若干大きい短辺とを有する方形穴と、当該方形穴の中心にその中心が略一致し、スペーサの前記支持部より若干大きい直径を有する円形穴とが合体して成り、
電子機器の組立て時には、前記スペーサを前記プリント配線基板から分離し、係止部をプリント配線基板に設けられた前記貫通穴に挿入した後に支持部をプリント配線基板断面高さに一致させて、支持部中心に円形穴内で回転させ係止して基板上に設け、ワイヤを当該スペーサで懸架することを特徴とする、請求項２に記載のワイヤ処理構造。
【請求項４】
前記基板及び基板に設けられた貫通穴に挿入回転係止される前記スペーサ間には、回転方向の位置固定を行なう固定機構を有し、
当該固定機構は、
前記基板とスペーサの何れか一方側に回転規制突起を設け、他方側で係合することで回転方向の位置固定を行うことを特徴とする、請求項３に記載のワイヤ処理構造。
【請求項５】
前記固定機構は、
前記基板上において、前記円形穴の中心を通り、回転規制をする前記方形穴に対して所定の角度を有する仮想線から基板厚さの略１／２だけ、互いに逆回転側に離間し且つ円形穴の中心からの距離が、後記水平部の回転軌跡円内に位置する、少なくとも２箇所の円形ランドをパターン成形すると共に、当該円形ランドに半田付けを行なうことで回転規制突起を形成する一方、
前記スペーサの略Ｃ字状のホルダー部下部に当該回転規制突起に係合する水平部を設けて成り、
前記電子機器の組立て時には、前記スペーサを前記プリント配線基板から分離し、係止部をプリント配線基板に設けられた前記貫通穴に挿入した後に支持部をプリント配線基板断面高さに一致させて、支持部中心に円形穴内で所定の角度回転させてホルダー部の水平部を両回転規制突起を乗り越えさせて、回転規制突起間に位置させることで回転方向の位置固定を行うことを特徴とする、請求項４に記載のワイヤ処理構造。
【請求項６】
前記固定機構は、
前記スペーサの略Ｃ字状のホルダー部下部に少なくとも１箇所の回転規制突起を設ける一方、
前記プリント配線基板上において、ホルダーの回動中心から前記回転規制突起までの距離と同じ距離の半径を有する前記円形穴の同心円周上における所定の角度位置に係合穴が設けられ、
前記電子機器の組立て時には、前記スペーサを前記プリント配線基板から分離し、係止部をプリント配線基板に設けられた前記貫通穴に挿入した後に支持部をプリント配線基板断面高さに一致させて、支持部中心に円形穴内で所定の角度回転させてホルダー部の前記回転規制突起を基板上の前記係合穴に係合させることで回転方向の位置固定を行うことを特徴とする、請求項４に記載のワイヤ処理構造。
【請求項７】
前記固定機構は、
前記スペーサの前記係止部上部に少なくとも１箇所の回転規制突起を設ける一方、
前記基板裏面上において、ホルダーの回動中心から前記回転規制突起までの距離と同じ距離の半径を有する前記円形穴の同心円周上における所定の角度位置に係合穴が設けられ、
前記電子機器の組立て時には、前記スペーサを前記プリント配線基板から分離し、係止部をプリント配線基板に設けられた前記貫通穴に挿入した後に支持部をプリント配線基板断面高さに一致させて、支持部中心に円形穴内で所定の角度回転させてホルダー部の前記回転規制突起を基板裏面上の前記係合穴に係合させることで回転方向の位置固定を行うことを特徴とする、請求項４に記載のワイヤ処理構造。
【請求項８】
前記電子機器は外部から入力された映像信号に基づいて所定の映像をディスプレイの画面に表示し、視聴するテレビジョンであり、
当該テレビジョンは、
前記ディスプレイと、
受信されるテレビ放送信号から選択されているチャンネルの放送信号を抽出し、出力するチューナと、
映像、音声、電源等の制御処理を行うプリント配線としてのメイン基板と、
電源オン／オフ、チャンネル選択、音量調整等をワイヤレスで操作するリモコンと、
当該リモコンからの操作に伴いテレビジョン本体に送信される赤外線信号を受光する赤外線受光基板と、
前記メイン基板と前記赤外線受光基板間の制御信号を送受信するワイヤとを有し、
前記メイン基板は、配線レイアウトの行われない所定部分に、基板上に前記ワイヤを懸架するために使用時に分離可能なスペーサが少なくとも１つ形成されると共に、前記ワイヤを懸架する所定の箇所には、前記スペーサを立設する貫通穴と、当該貫通穴に立設されたスペーサの回転を規制する回転規制突起が形成され、
前記スペーサは、上部に前記ワイヤが挿入可能な程度の幅を有する開放部が設けられると共に下部に水平部を有した略Ｃ字状のホルダー部と、ホルダー部の開放部に対向する位置から下方に基板厚と略同一の長さだけ直線状に伸延する支持部と、支持部よりも拡幅し、支持部に略逆Ｔ字状に繋がる係止部とを有すると共に、当該係止部とメイン基板本体とがミシン目を介して使用時に分離可能に配置されて成り、
前記貫通穴は、スペーサの前記係止部の幅より若干大きい長辺と、前記係止部の板厚より若干大きい短辺とを有する方形穴と、当該方形穴の中心にその中心が略一致し、スペーサの前記支持部より若干大きい直径を有する円形穴とが合体して成り、
前記回転規制突起は、前記円形穴と同心で前記ホルダー部の水平部長さ以下の直径を有した円周上に、前記方形穴に対する直交線を挟んでスペーサの前記ホルダ部の板厚と同じか若干大きい距離だけ離間して相対するように方形穴の両側に各々1対、計４つの円形ランドをパターン成形すると共に、当該円形ランドに半田付けを行なうことで形成し、
前記テレビジョンの組立て時には、前記スペーサを前記メイン基板から分離し、係止部をメイン基板に設けられた前記貫通穴に挿入した後に支持部をメイン基板断面高さに一致させて、支持部中心に円形穴内で９０°回転させてホルダー部の水平部の両端を各々、対応する対の回転規制突起の一方を乗り越えさせて、回転規制突起間に位置させることで回転方向の位置固定を行い所定の位置に立設した後、
メイン基板と前記赤外線受光基板間の制御信号を送受信するワイヤをスペーサのホルダ部の前記開放部から挿入して環内に把持することで、ワイヤを所定の位置に懸架せしめることを特徴とする請求項６に記載の、ワイヤ処理構造。
【発明の詳細な説明】
【技術分野】
【０００１】
本発明は、電子機器内部に配線されるワイヤ処理構造、及び当該ワイヤ処理構造を有するテレビジョンに関する。
【背景技術】
【０００２】
放送された映像をディスプレイに表示させ、視聴するテレビジョン（以降、単にテレビと呼称）は、娯楽番組、映画、或いはニュースなどを視聴する基幹メディアとして、一般家庭に広く普及して久しい。そして近年では、半導体技術や電子技術の伸展を背景にデジタルテレビ放送が開始され、それに伴って、当該デジタルテレビ放送を受信可能なデジタルチューナを備えると共に、信号処理をデジタル化した上、従来のテレビに対して走査線を多く備えたデジタルテレビが急速に普及しつつある。
【０００３】
図１１に、従来より広く用いられているＣＲＴ方式のデジタルテレビ１における、内部の回路基板の実装構造の一例を示す。
【０００４】
図１１に示すデジタルＣＲＴテレビ１では、外部から入力されたデジタル映像信号に基づいて所定の映像を表示するＣＲＴディスプレイ１ａの背面下方に、メイン基板２が水平に配置されている。当該メイン基板２は、デジタルＣＲＴテレビ１の映像、音声、或いは電源といった各種制御処理を行うための回路基板である。
【０００５】
メイン基板２には、不図示のアンテナを介して受信されるデジタルテレビ放送信号から選択されているチャンネルの放送信号を抽出し、出力するデジタルチューナ３が実装されている。当該デジタルチューナ３は、例えば短辺と長辺とから成る略長方形の下面及び上面を有する略直方体の金属製筐体を有し、当該下面の四隅近傍には４つの脚部３ａが各々設けられ、前記メイン基板２の所定の位置に当該脚部３ａが半田接合されることでメイン基板２に垂直に立設配置される。
【０００６】
更に、前記メイン基板２には、前記デジタルチューナ３により出力されたデジタルテレビ放送信号のスクランブルを解除するデ・スクランブル処理と、多重化された当該デジタルテレビ放送信号の中から、映像信号、音声信号、及びデータ信号を取り出すデ・マルチプレックス処理を行うために不図示の複数の処理用ＩＣチップが実装されるサブ基板４が後述する構造で垂直実装される。
【０００７】
即ち、前記メイン基板２の所定の位置にはスロット５が設けられると共に、前記サブ基板４の下端には、当該スロット５に対応するスロット用端子４ａが設けられ、サブ基板４は、スロット用端子４ａがメイン基板２のスロット５に挿入されることで、垂直実装される。
【０００８】
又、メイン基板の近傍には、電源オン／オフ、チャンネル選択、音量調整等をワイヤレスで操作する不図示のリモコンから例えば赤外線で送信されてきた制御コマンドを受光する赤外線受光基板が設けられている。そして、当該赤外線受光基板と前記メイン基板２とはワイヤ６で配線接続されて、両基板間で制御信号が送受信される。
【０００９】
赤外線受光基板から配線された前記ワイヤ６はメイン基板２上に載置され、例えば先端に設けられたコネクタ７が、メイン基板２上に実装されたコネクタに挿入されることで配線接続される。この際、ワイヤ６はメイン基板２上を無用に移動して、他部品等と接触破損したりしないように、例えば樹脂製のワイヤホルダ８で基板上の所定の位置に固定される。
【００１０】
前記ワイヤホルダ８は、例えば基板端部に穿孔し、当該孔にバンドを挿通した上、当該バンドでワイヤ周囲を環状にホルド締結する構造である。
【００１１】
しかしながら、こうした構造のワイヤホルダ８では、新たな部材を別途用意しなければならないため、コストアップに繋がっていた。更に、ワイヤホルダ８を基板２に装着する作業性が悪いという問題もあった。
【００１２】
そこで、こうした問題を解決するため、以下のような従来技術が開示されている。
【００１３】
即ち、特許文献１では、プリント基板から切除される捨て基板に略Ｃ字状のワイヤホルダを形成している。当該ワイヤホルダは、基板の端部から突出するようにネジで固定され、ワイヤを固定するようになっている。
【００１４】
又、特許文献２では、やはり基板の捨て板部を有効利用し、ワイヤを保持するための略Ｃ字上の保持部を有する保持具を、基板上に施した穿孔配線部分に半田付けにより立設し、ワイヤを固定するようにしている。
【００１５】
更に、特許文献３では、回路基板の余剰分で製作した、両端下部に係止部が形成された脚部を有する固定用平板材を、基板裏面から上面に貫通孔を介して立ち上がったリード線上を跨ぐように、基板に設けられた略Ｕ字状の貫通溝内に挿入、スライドさせて基板上にリード線を押さえて固定している。
【特許文献１】実登３０１９１４６号公報
【特許文献２】実登３０８５８４１号公報
【特許文献３】特開平１１−４０９５６号公報
【発明の開示】
【発明が解決しようとする課題】
【００１６】
前記特許文献１の構成によれば、ワイヤホルダを捨て基板を用いて成形しているので、確かにその点ではコストダウンに繋がる。しかしながら、この構造では、ワイヤホルダをネジを用いて基板に固定するようにしているため、組立て作業性が悪い上、コストアップに繋がるという問題がある。
【００１７】
又、ワイヤホルダを基板に固定できる位置は、基板の端部から突出するような状態に限定されるため、基板上の最適な位置への固定が困難である。
【００１８】
前記特許文献２の構成によれば、保持具を基板の捨て板部を有効利用しているので、その点では確かにコストダウンに繋がる。しかしながら、この構造では、保持具を基板に固定するために半田を用いるため、基板に穿孔したうえ、その周囲に配線を施さなくてはならず、コストアップに繋がる。
【００１９】
又、半田付け作業を行う必要があるため、作業性が悪い。更に、ワイヤが繰り返し振動したり温度変化が伴うと半田付け部に応力が加わり、クラックが発生し、信頼性が損なわれる恐れがある。
【００２０】
前記特許文献３の構成によれば、固定用平板材を回路基板の余剰分で製作しているので、確かにコストダウンに繋がる。しかしながら、固定用平板材を貫通溝内をスライドさせてリード線を上から押さえつけることで固定しているので、本引用文献のような基板裏面から上面に貫通孔を介して立ち上がったリード線であれば固定は可能であるが、上述した、赤外線受光基板から配線され、前記メイン基板上に固定するようなワイヤでは基板からの立ち上がり部がなく、このような固定用平板材では、固定することができない。
【００２１】
本発明は、上記問題にかんがみてなされたもので、基板上に配線接続されるワイヤを、安価で容易且つ確実に所定の位置に懸架するワイヤ処理構造、及び当該ワイヤ処理構造を適用したテレビジョンを提供することを目的とする。
【課題を解決するための手段】
【００２２】
上記問題を解決する為に請求項１に記載の発明は、外部から入力された映像信号に基づいて所定の映像をディスプレイの画面に表示し、視聴するテレビジョンにおいて、当該テレビジョンは、前記ディスプレイと、受信されるテレビ放送信号から選択されているチャンネルの放送信号を抽出し、出力するチューナと、映像、音声、電源等の制御処理を行うメイン基板と、電源オン／オフ、チャンネル選択、音量調整等をワイヤレスで操作するリモコンと、当該リモコンからの操作に伴いテレビジョン本体に送信される赤外線信号を受光する赤外線受光基板と、前記メイン基板と前記赤外線受光基板間の制御信号を送受信するワイヤとを有し、前記メイン基板は、配線レイアウトの行われない所定部分に、基板上に前記ワイヤを懸架するために使用時に分離可能なスペーサが少なくとも１つ形成されると共に、前記ワイヤを懸架する所定の箇所には、前記スペーサを立設する貫通穴と、当該貫通穴に立設されたスペーサの回転を規制する回転規制突起が形成され、前記スペーサは、上部に前記ワイヤが挿入可能な程度の幅を有する開放部が設けられると共に下部に水平部を有した略Ｃ字状のホルダー部と、ホルダー部の開放部に対向する位置から下方に基板厚と略同一の長さだけ直線状に伸延する支持部と、支持部よりも拡幅し、支持部に略逆Ｔ字状に繋がる係止部とを有すると共に、当該係止部とメイン基板本体とがミシン目を介して使用時に分離可能に配置されて成り、前記貫通穴は、スペーサの前記係止部の幅より若干大きい長辺と、前記係止部の板厚より若干大きい短辺とを有する方形穴と、当該方形穴の中心にその中心が略一致し、スペーサの前記支持部より若干大きい直径を有する円形穴とが合体して成り、前記回転規制突起は、前記円形穴と同心で前記ホルダー部の水平部長さ以下の直径を有した円周上に、前記方形穴に対する直交線を挟んでスペーサの前記ホルダ部の板厚と同じか若干大きい距離だけ離間して相対するように方形穴の両側に各々1対、計４つの円形ランドをパターン成形すると共に、当該円形ランドに半田付けを行なうことで形成し、前記テレビジョンの組立て時には、前記スペーサを前記メイン基板から分離し、係止部をメイン基板に設けられた前記貫通穴に挿入した後に支持部をメイン基板断面高さに一致させて、支持部中心に円形穴内で９０°回転させてホルダー部の水平部の両端を各々、対応する対の回転規制突起の一方を乗り越えさせて、回転規制突起間に位置させることで回転方向の位置固定を行い所定の位置に立設した後、メイン基板と前記赤外線受光基板間の制御信号を送受信するワイヤをスペーサのホルダ部の前記開放部から挿入して環内に把持することで、ワイヤを所定の位置に懸架せしめる構成としている。
【００２３】
上記のように構成した請求項１に記載の発明によれば、メイン基板の所定部分を利用したスペーサがメイン基板に設けられた貫通穴に挿入、回転係止された上、基板上の回転規制突起がスペーサの水平部に係合することで回転方向が固定されてメイン基板上に立設され、当該スペーサのホルダー部でメイン基板と前記赤外線受光基板間の制御信号を送受信するワイヤが、メイン基板を有効利用し、安価で容易且つ確実に懸架支持される。
【００２４】
請求項２に記載の発明は、電子機器に搭載されるプリント配線基板の所定部分に、電子機器内に配線されるワイヤを基板上の所定の位置に懸架するために使用時に分離可能なスペーサを予め形成すると共に、基板上の所定の位置には、当該スペーサを装着するための貫通穴が設けられ、前記スペーサは略逆Ｔ字状の係止部を有する一方、前記貫通穴は当該係止部が挿入後回転されて係止可能な方形穴を有し、電子機器の組立て時に、プリント配線基板から分離した前記スペーサを前記貫通穴に挿入、回転係止して基板上に設け、ワイヤを当該スペーサで懸架する構成としている。
【００２５】
上記のように構成した請求項２に記載の発明によれば、プリント配線基板を利用したスペーサが基板上に立設され、ワイヤが懸架支持される。
【発明の効果】
【００２６】
請求項１に記載の発明によれば、メイン基板の所定部分を利用したスペーサがメイン基板に設けられた貫通穴に挿入、回転係止された上、基板上の回転規制突起がスペーサの水平部に係合することで回転方向が固定されてメイン基板上に立設され、当該スペーサのホルダー部でメイン基板と前記赤外線受光基板間の制御信号を送受信するワイヤが懸架支持される。よって、メイン基板上に配線接続されるワイヤを、安価で容易且つ確実に所定の位置に懸架するワイヤ処理構造を適用したテレビジョンを提供できる。
【００２７】
請求項２に記載の発明によれば、プリント配線基板の所定部分を利用したスペーサが基板上に立設され、ワイヤが懸架支持される。よって、プリント配線基板上に配線接続されるワイヤを安価で容易に所定の位置に懸架するワイヤ処理構造を提供できる。
【００２８】
請求項３に記載の発明によれば、プリント配線基板の所定部分を利用したスペーサが、基板にもうけられた貫通穴に挿入、回転係止されて当該基板上に立設され、ワイヤが懸架支持される。よって、上記同様、プリント配線基板上に配線接続されるワイヤを安価で容易に所定の位置に懸架するワイヤ処理構造を提供できる。
【００２９】
請求項４に記載の発明によれば、プリント配線基板の所定部分を利用したスペーサが、基板にもうけられた貫通穴に挿入、回転係止された上、固定機構を介して回転方向の固定が成されて当該基板上に立設され、ワイヤが懸架支持される。よって、プリント配線基板上に配線接続されるワイヤを安価で容易且つ確実に所定の位置に懸架するワイヤ処理構造を提供できる。
【００３０】
請求項５に記載の発明によれば、プリント配線基板の所定部分を利用したスペーサが、基板にもうけられた貫通穴に挿入、回転係止された上、水平部が基板上の回転規制突起を乗り越えて回転方向の固定が成されて当該基板上に立設され、ワイヤが懸架支持される。よって、上記同様、プリント配線基板上に配線接続されるワイヤを安価で容易且つ確実に所定の位置に懸架するワイヤ処理構造を提供できる。
【００３１】
上記のように構成した請求項６に記載の発明によれば、プリント配線基板の所定部分を利用したスペーサが、基板にもうけられた貫通穴に挿入、回転係止された上、スペーサのホルダー部下部に設けられた回転規制突起が基板上の係合穴に係合することで回転方向の固定が成されて当該基板上に立設され、ワイヤが懸架支持される。よって、上記同様、プリント配線基板上に配線接続されるワイヤを安価で容易且つ確実に所定の位置に懸架するワイヤ処理構造を提供できる。
【００３２】
上記のように構成した請求項７に記載の発明によれば、プリント配線基板の所定部分を利用したスペーサが、基板にもうけられた貫通穴に挿入、回転係止された上、スペーサの係止部上部に設けられた回転規制突起が基板裏面上の係合穴に係合することで回転方向の固定が成されて当該基板上に立設され、ワイヤが懸架支持される。よって、上記同様、プリント配線基板上に配線接続されるワイヤを安価で容易且つ確実に所定の位置に懸架するワイヤ処理構造を提供できる。
【００３３】
上記のように構成した請求項８に記載の発明によれば、メイン基板の所定部分を利用したスペーサがメイン基板に設けられた貫通穴に挿入、回転係止された上、基板上の回転規制突起がスペーサの水平部に係合することで回転方向が固定されてメイン基板上に立設され、当該スペーサのホルダー部でメイン基板と前記赤外線受光基板間の制御信号を送受信するワイヤが懸架支持される。よって、テレビジョンのメイン基板上に配線接続されるワイヤを、安価で容易且つ確実に所定の位置に懸架するワイヤ処理構造を提供できる。
【発明を実施するための最良の形態】
【００３４】
以下、本発明を電子機器、及びテレビジョンとしてのデジタルＣＲＴテレビにおいて具体化した実施例について説明する。
【実施例１】
【００３５】
図１には、本実施例におけるデジタルＣＲＴテレビ１１の概略構成を説明するブロック図を示す。尚、当該デジタルＣＲＴテレビ１１について、本願発明と直接関連しない構造については、詳細な説明、及び図示を省略する。
【００３６】
同図において、デジタルＣＲＴテレビ１１は、外部から入力されたデジタル映像信号に基づいて所定の映像を表示するＣＲＴディスプレイ１１ａと、本体の動作を制御するコントローラ１１ｂと、図示していないアンテナで受信されるデジタルテレビ放送信号から選択されているチャンネルのデジタルテレビ放送信号を抽出し、出力するデジタルチューナ１１ｃと、該デジタルチューナ１１ｃが出力したデジタルテレビ放送信号を、後述するデジタル処理を行うデジタル処理部１１ｄと、当該デジタル処理部１１ｄで処理され出力される映像信号をＣＲＴディスプレイ１１ａに適宜最適な状態で表示させるために制御処理する映像処理部１１ｅと、同じくデジタル処理部１１ｄで処理され出力される音声信号を音声をスピーカ１１ｇから最適な状態で出力させるために制御処理する、音声処理部１１ｆと、リモコン１１ｈから送信されてきた制御コマンドを受信するリモコン受信部１１ｉとを備えている。
【００３７】
図２に、前記デジタルＣＲＴテレビ１１内部の回路基板実装構造を示す。
【００３８】
同図に示す通り、デジタルＣＲＴテレビ１１は、前記ＣＲＴディスプレイ１１ａの背面下方に、プリント配線基板としてのメイン基板１２が水平に配置されている。当該メイン基板１２は、デジタルＣＲＴテレビ１１の映像、音声、或いは電源といった各種制御処理を行うための前記コントローラ１１ｂを構成する回路基板である。
【００３９】
前記メイン基板１２には、筐体部品としての前記デジタルチューナ１１ｃが実装されている。当該デジタルチューナ１１ｃは、例えば短辺と長辺とから成る略長方形の下面及び上面を有する略直方体の例えばアルミ板が曲げ加工されて成る金属製筐体１１ｃ１を有し、当該下面の四隅近傍には４つの脚部１１ｃ２が各々設けられる。当該脚部１１ｃ２には、例えばＳｎメッキ処理が施され、前記メイン基板１２の所定の位置に当該脚部１１ｃ２が半田接合されることでメイン基板に垂直に立設配置される。
【００４０】
更に、前記メイン基板１２には、前記デジタルチューナ１１ｃにより出力されたデジタルテレビ放送信号のスクランブルを解除するデ・スクランブル処理と、多重化された当該デジタルテレビ放送信号の中から、映像信号、音声信号、及びデータ信号を取り出すデ・マルチプレックス処理を行うために１チップ化された不図示の処理用ＩＣが実装された、前記デジタル処理部１１ｄを構成するサブ基板１３が後述する構造で垂直実装される。
【００４１】
即ち、前記メイン基板１２の、前記デジタルチューナ１１ｃが立設配置される位置に隣接する位置にはスロット１４が並列して設けられると共に、前記サブ基板１３の下端には、当該スロット１４に対応する凸状のスロット用端子１３ａが設けられ、サブ基板１３は、スロット用端子１３ａがメイン基板１２のスロット１４に挿入されることで、前記デジタルチューナ１１ｃに隣接する位置に垂直実装される。
【００４２】
又、メイン基板の近傍には、電源オン／オフ、チャンネル選択、音量調整等をワイヤレスで操作する不図示のリモコンから例えば赤外線で送信されてきた制御コマンドを受光する不図示の赤外線受光基板が設けられている。当該赤外線受光基板は、例えばフォトトランジスタ等で構成される受光素子が実装されると共に、前記メイン基板１２とワイヤ１６で配線接続され、前記受光素子で受光した制御コマンドに基づく制御信号が、両基板間で送受信される。
【００４３】
赤外線受光基板から配線された前記ワイヤ１６はメイン基板１２上に載置され、例えば先端に設けられたコネクタ１７が、メイン基板１２上に実装されたコネクタに挿入されることで配線接続される。この際、ワイヤ１６はメイン基板１２上を無用に移動して、他部品等と接触破損したりしないように、後述するスペーサ１７を介して基板１２上の所定の位置に固定される。
【００４４】
図３に示すように、デジタルＣＲＴテレビ１１内に組みつけられる前の前記メイン基板１２には、配線レイアウト上、不要な部分１９（所定部分）が略角部に存在し、当該不要部分１９には基板１２上に前記ワイヤ１６を懸架するために使用時に分離可能な前記スペーサ１７が例えば２つ、隣接するように金型加工で形成されている。図４に示すように、個々のスペーサ１７は、ホルダー部１７ａ、支持部１７ｂ、及び係止部１７ｃとを有して成る。
【００４５】
即ち、前記ホルダー部１７ａは、その上部に前記ワイヤ１６が挿入可能な程度の幅を有する開放部１７ａ１が設けられると共に下部に水平部１７ａ２を有した略Ｃ字状に形成されている。前記開放部１７ａ１は上方に向けて開口し、スペーサ１７がメイン基板１２上に立設された際、上方からワイヤ１６をホルダー部１７ａの環内に挿入配置可能となっている。又、前記水平部１７ａ２は、前記メイン基板１２に形成される後述する回転規制突起１５に当接し、メイン基板１２上に立設された際のスペーサ１７の回転方向の規制を行い、所定の回転位置に固定するように機能する。即ち、本実施例では、前記回転規制突起１５と前記水平部１７ａ２とで固定機構を構成する。
【００４６】
前記支持部１７ｂは、前記ホルダー部１７ａの開放部１７ａ１に対向する位置から下方に、メイン基板１２の基板厚と略同一の長さだけ直線状に伸延するように形成され、スペーサ１７がメイン基板１２上に立設される際、前記メイン基板１２に形成される後述する円形穴１８ｂ内を回転摺動する。
【００４７】
前記係止部１７ｃは、支持部１７ｂよりも拡幅し、当該支持部１７ｂに略逆Ｔ字状に繋がるように設けられ、スペーサ１７がメイン基板１２上に立設される際、メイン基板１２の裏面に係止し、スペーサ１７の、メイン基板１２の後述する貫通穴１８ｂからの抜けを防止する。更に、前記係止部１７ｃの下部は、メイン基板１２の本体との間でミシン目１７ｄを介して使用時に分離可能に接続されている。
【００４８】
一方、図５に示すように、メイン基板１２の前記ワイヤ１６を懸架する所定の２箇所には、前記スペーサ１７を立設する貫通穴１８と、当該貫通穴１８に立設されたスペーサ１７の回転を規制する回転規制突起１５が形成される。
【００４９】
前記貫通穴１８は、スペーサ１７の前記係止部１７ｃの幅より若干大きい長辺と、前記係止部の板厚より若干大きい短辺とを有する方形穴１８ａと、当該方形穴１８ａの中心にその中心が略一致し、スペーサ１７の前記支持部１７ｂより若干大きい直径を有する円形穴１８ｂとが合体するような形状に形成されている。即ち、前記方形穴１８ａには前記スペーサ１７の係止部１８ｃが挿入可能であり、前記円形穴１８ｂ内では挿入された前記スペーサ１７の支持部１７ｂが回動可能である。
【００５０】
前記回転規制突起１５は、後述する位置にパターン成形された４つの円形ランドに例えばＤＩＰ方式で半田付けを行なうことで形成される。即ち、前記円形ランドは、前記円形穴１８ｂと同心で前記ホルダー部１７ａの水平部１７ａ２長さ以下の直径を有した仮想の円周上に、前記方形穴１８ａに対する直交線を挟んでスペーサ１７の前記ホルダー部１７ａの板厚と同じか若干大きい距離だけ離間して相対するように方形穴１８ａの両側に各々1対、計４つがパターン成形されている。
【００５１】
次に、以上に説明した前記メイン基板１２に配置された前記スペーサ１７、前記貫通穴１８、及び前記回転規制突起１５により、デジタルＣＲＴテレビ１１の組立て時に、メイン基板１２と赤外線受光基板との間で配線接続されたワイヤ１６をメイン基板１２上に懸架配置する構成を以下に説明する。
【００５２】
まず、メイン基板１２の不要部分１９に形成された２つの前記スペーサ１７を、ミシン目１７ｄを切断することで、メイン基板１２本体から分離する。そして、スペーサ１７の前記係止部１７ｃをメイン基板１２に設けられた貫通穴１８の前記方形穴１８ａに合致させ、挿入する。前述したように、方形穴１８ａの長辺及び短辺の長さは、対応する係止部１７ｃの寸法よりも若干大きく形成されているため、ガタつくことなくスムーズに挿入可能である。
【００５３】
前記スペーサ１７は、その支持部１７ｂがメイン基板１２の板厚断面に一致するまで挿入された後、前記円形穴１８ｂ内を支持部１７ｂを軸にして矢印Ａの方向に略９０°回動される。この際、前述したように、前記支持部１７ｂはメイン基板１２の基板厚と略同一の長さだけ直線状に伸延すると共に、前記円形穴１８ｂは前記支持部１７ｂより若干大きい直径を有するように各々形成されているので、前記係止部１７ｃはその上端がメイン基板１２の裏面に、前記ホルダー部１７ａの水平部１７ａ２がメイン基板１２の表面に各々略摺接しつつ、スムーズに回動し得る。
【００５４】
そして、スペーサ１７の回動時、やがて前記ホルダー部１７ａの水平部１７ａは、メイン基板１２表面の前記方形穴１８ａを挟んだ両側に２対形成された前記回転規制突起１５に各々当接、干渉する。ここで、スペーサ１７をその水平部１７ａ２の両端が各々、対応する回転規制突起１５の対の一方のみを乗り越え、対の回転規制突起１５，１５間に挟配置されるように更に回転させる。
【００５５】
前述したように、前記回転規制突起１５の対の間は、水平部１７ａ２の板厚と同じか若干大きい距離だけ離間して相対するように配置されるため、当該対の間に挟配置された水平部１７ａ２は、ガタつくことなく、回転規制突起１５で回転方向が９０°に干渉規制される。従って、前記スペーサ１７は、所定の位置且つ回転方向でメイン基板１２上に抜けることなく容易且つ確実に立設配置される。
【００５６】
この後、メイン基板１２上に立設配置されたスペーサ１７の前記ホルダー部１７ａには、上方より前記開放部１７ａ１を介してワイヤ１６がその環内に挿入される。これにより、当該ワイヤ１６は、メイン基板１２上の所定の位置に確実且つ容易に懸架支持される。
【００５７】
以上に説明したように、本実施例の構成によれば、メイン基板１２の不要部分１９に形成されたスペーサ１７をメイン基板１２の所定位置に設けた貫通穴１８に挿入回転させ、回転規制突起１５で回転方向を規制固定するようにし、当該スペーサ１７でワイヤ１６を懸架支持するようにしたので、基板上に配線接続されるワイヤを、安価で容易且つ確実に所定の位置に懸架するワイヤ処理構造、及び当該ワイヤ処理構造を適用したテレビジョンを提供することができるという優れた効果を奏し得る。
【００５８】
尚、本願発明は実施例の構成に限定されるものではなく、以下に列記する構成について、適宜変更可能である。
【００５９】
１．実施例では、メイン基板を有する電子機器として、デジタルＣＲＴテレビの場合を例に説明したが、これに限定されることはなく、デジタルＣＲＴテレビ以外のテレビ、更にはテレビ以外の家電をはじめとする各種電気機器の、各種基板に適用するようにしても良い。
【００６０】
又、基板上に懸架するケーブルも、実施例のようなメイン基板と赤外線受光基板間に配線接続されるケーブルに限定されることはなく、電気機器内に配線される各種のケーブルに適用可能である。
【００６１】
２．スペーサのホルダー部に設けられる開放部は、スペーサの上方に向かって開口する形状に限定はされず、環内に挿入されたワイヤが脱落しなければ、それ以外の位置に設けるようにしても良い。例えば、ホルダー部の斜め上方、側方、斜め下方などが挙げられる。
【００６２】
又、開放部の開口寸法は、ワイヤが挿入可能で脱落しなければ、特に限定はされない。
【００６３】
３．スペーサのホルダー部の形状は、ワイヤが挿入可能で脱落しなければ、特に限定はされず、略Ｃ字状以外に例えば略Ｕ字状等であってもよい。
【００６４】
４．回転規制突起は、実施例に記載したような基板上に設けたランドに半田付けをすることで形成する構成に限定はされず、スペーサの水平部と干渉する基板上の所定の位置に、半田以外の突起部材を配置するようにしても良い。例えば樹脂材を所定の位置に滴下し、硬化させるような構成が挙げられる。
【００６５】
５．回転規制突起の配置は、実施例のような２対計４個である構成に限定はされず、スペーサの回転方向が規制固定可能であれば、他の配置であっても良い。例えば、図６に示すように、回転規制突起の対を、方形穴を挟んだ両側ではなく一方側にだけ設けるようにしても良い。
【００６６】
或いは、回転規制突起を対ではなく、前記円形穴の中心を通り、回転規制をする前記方形穴に対し直交する仮想線から基板厚さの略１／２だけ、互いに逆回転側に離間し且つ円形穴の中心からの距離が、後記水平部の回転軌跡円内に位置するように、少なくとも２箇所配置しても良い。例えば、図７に示すような配置が挙げられる。
【００６７】
６．回転規制突起で規制するスペーサの回転角度は９０°に限定されることはなく、ワイヤを懸架するのに適した角度に適宜変更可能である。勿論その場合、当該角度となるように回転規制突起の配置位置を変更する。
【００６８】
７．前記基板と前記基板に設けられた貫通穴に挿入回転係止される前記スペーサ間に設けられ、回転方向の位置固定を行なう固定機構は、実施例で記載したような、メイン基板に設けられた回転規制突起と当該回転規制突起に係合するスペーサの水平部との組合せの構成に限定はされず、回転規制突起を逆にスペーサ側に設け、基板側に係合するようにしても良い。
【００６９】
例えば、回転規制突起を基板側ではなく、スペーサのホルダー部下部に少なくとも１箇所形成すると共に、基板側の対応する表面位置には、当該突起が嵌り込んで係合するする凹状、若しくは貫通した係合穴を設けることで構成するようにしても良い。この例としては図８に示す突起１７ｅが挙げられる。
【００７０】
或いは、回転規制突起をスペーサの前記係止部上部に少なくとも１箇所形成すると共に、基板側の対応する裏面位置には、当該突起が嵌合する形状の凹状、若しくは貫通した係合穴を設けることで構成するようにしても良い。この例としては図９に示す突起１７ｆが挙げられる。
【００７１】
８．前記貫通穴の形状は、方形穴に組み合わせる円形穴の代わりに、単純な円ではなく、図１０に示すように、穴自体でスペーサの回転位置を当接規制できるようにスペーサを９０°回転させた軌跡面を除く残部分を閉塞して形成される、２つの略扇形穴１８ｃを組み合わせるような形状にしても良い。
【００７２】
このような略扇形穴１８ｃであれば、挿入されたスペーサの支持部は、回転されると９０°の位置で当該扇形穴１８ｃに当接規制され、それ以上回転することがない。
【００７３】
尚、この場合でも回転位置は９０°に限定されることはなく、その場合、回転位置に合わせた角度で規制できるように略扇形穴の中心角を変更することになるのは言うまでもない。
【００７４】
９．本実施例では、ケーブルを懸架する基板は、スペーサがその不要部分に形成される場合で説明したが、必ずしも不要部分である必要は無く、予めスペーサ用のスペースを確保しても良い。また、スペーサは、必ずしも形成された基板に対して用いられる必要は無く、形成された基板とは別の基板に当該スペーサを立設するようにしても良い。
【００７５】
１０．本実施例では、基板に形成するスペーサの数を２つとしているがこれに限定されることはなく、不要部分の面積、及びスペーサの必要数量に応じて１つのみ、或いは３つ以上形成するようにしても良い。
【００７６】
１１．スペーサの基板本体とミシン目で接続する箇所は、実施例のような係止部下端に限定されることは無く、基板の不要部分の配置に合わせて適宜変更可能である。例えば、基板本体とは支持部にミシン目で接続するようにしても良い。
【００７７】
以下に請求項３以降の作用について述べる。
【００７８】
請求項３に記載の発明は、前記スペーサは、前記ワイヤが挿入可能な程度の幅を有する開放部が設けられた略Ｃ字状のホルダー部と、ホルダー部から下方に基板厚と略同一の長さだけ直線状に伸延する支持部と、支持部よりも拡幅し、支持部に略逆Ｔ字状に繋がる係止部とを有すると共に、当該係止部とプリント配線基板本体とがミシン目を介して使用時に分離可能に配置されて成る一方、前記貫通穴は、スペーサの前記係止部の幅より若干大きい長辺と、前記係止部の板厚より若干大きい短辺とを有する方形穴と、当該方形穴の中心にその中心が略一致し、スペーサの前記支持部より若干大きい直径を有する円形穴とが合体して成り、電子機器の組立て時には、前記スペーサを前記プリント配線基板から分離し、係止部をプリント配線基板に設けられた前記貫通穴に挿入した後に支持部をプリント配線基板断面高さに一致させて、支持部中心に円形穴内で回転させ係止して基板上に設け、ワイヤを当該スペーサで懸架する構成としている。
【００７９】
上記のように構成した請求項３に記載の発明によれば、プリント配線基板の所定部分を利用したスペーサが、基板にもうけられた貫通穴に挿入、回転係止されて当該基板上に立設され、ワイヤが懸架支持される。
【００８０】
請求項４に記載の発明は、前記基板及び基板に設けられた貫通穴に挿入回転係止される前記スペーサ間には、回転方向の位置固定を行なう固定機構を有し、当該回転機構は、前記基板とスペーサの何れか一方側に回転規制突起を設け、他方側で係合することで回転方向の位置固定を行う構成としている。
【００８１】
上記のように構成した請求項４に記載の発明によれば、プリント配線基板の所定部分を利用したスペーサが、基板にもうけられた貫通穴に挿入、回転係止された上、固定機構を介して回転方向の固定が成されて当該基板上に立設され、ワイヤが懸架支持される。
【００８２】
請求項５に記載の発明は、前記固定機構は、前記基板上において、前記円形穴の中心を通り、回転規制をする前記方形穴に対した所定の角度を有する仮想線から基板厚さの略１／２だけ、互いに逆回転側に離間し且つ円形穴の中心からの距離が、後記水平部の回転軌跡円内に位置する、少なくとも２箇所の円形ランドをパターン成形すると共に、当該円形ランドに半田付けを行なうことで回転規制突起を形成する一方、前記スペーサの略Ｃ字状のホルダー部下部に当該回転規制突起に係合する水平部を設けて成り、前記電子機器の組立て時には、前記スペーサを前記プリント配線基板から分離し、係止部をプリント配線基板に設けられた前記貫通穴に挿入した後に支持部をプリント配線基板断面高さに一致させて、支持部中心に円形穴内で所定の角度回転させてホルダー部の水平部を両回転規制突起を乗り越えさせて、回転規制突起間に位置させることで回転方向の位置固定を行う構成としている。
【００８３】
上記のように構成した請求項５に記載の発明によれば、プリント配線基板の所定部分を利用したスペーサが、基板にもうけられた貫通穴に挿入、回転係止された上、水平部が基板上の回転規制突起を乗り越えて回転方向の固定が成されて当該基板上に立設され、ワイヤが懸架支持される。
【００８４】
請求項６に記載の発明は、前記固定機構は、前記スペーサの略Ｃ字状のホルダー部下部に少なくとも１箇所の回転規制突起を設ける一方、前記プリント配線基板上において、ホルダーの回動中心から前記回転規制突起までの距離と同じ距離の半径を有する前記円形穴の同心円周上における所定の角度位置に係合穴が設けられ、前記電子機器の組立て時には、前記スペーサを前記プリント配線基板から分離し、係止部をプリント配線基板に設けられた前記貫通穴に挿入した後に支持部をプリント配線基板断面高さに一致させて、支持部中心に円形穴内で所定の角度回転させてホルダー部の前記回転規制突起を基板上の前記係合穴に係合させることで回転方向の位置固定を行う構成としている。
【００８５】
上記のように構成した請求項６に記載の発明によれば、プリント配線基板の所定部分を利用したスペーサが、基板にもうけられた貫通穴に挿入、回転係止された上、スペーサのホルダー部下部に設けられた回転規制突起が基板上の係合穴に係合することで回転方向の固定が成されて当該基板上に立設され、ワイヤが懸架支持される。
【００８６】
請求項７に記載の発明は、前記固定機構は、前記スペーサの前記係止部上部に少なくとも１箇所の回転規制突起を設ける一方、前記基板裏面上において、ホルダーの回動中心から前記回転規制突起までの距離と同じ距離の半径を有する前記円形穴の同心円周上における所定の角度位置に係合穴が設けられ、前記電子機器の組立て時には、前記スペーサを前記プリント配線基板から分離し、係止部をプリント配線基板に設けられた前記貫通穴に挿入した後に支持部をプリント配線基板断面高さに一致させて、支持部中心に円形穴内で所定の角度回転させてホルダー部の前記回転規制突起を基板裏面上の前記係合穴に係合させることで回転方向の位置固定を行う構成としている。
【００８７】
上記のように構成した請求項７に記載の発明によれば、プリント配線基板の所定部分を利用したスペーサが、基板にもうけられた貫通穴に挿入、回転係止された上、スペーサの係止部上部に設けられた回転規制突起が基板裏面上の係合穴に係合することで回転方向の固定が成されて当該基板上に立設され、ワイヤが懸架支持される。
【００８８】
請求項８に記載の発明は、前記電子機器は外部から入力された映像信号に基づいて所定の映像をディスプレイの画面に表示し、視聴するテレビジョンであり、当該テレビジョンは、前記ディスプレイと、受信されるテレビ放送信号から選択されているチャンネルの放送信号を抽出し、出力するチューナと、映像、音声、電源等の制御処理を行うプリント配線としてのメイン基板と、電源オン／オフ、チャンネル選択、音量調整等をワイヤレスで操作するリモコンと、当該リモコンからの操作に伴いテレビジョン本体に送信される赤外線信号を受光する赤外線受光基板と、前記メイン基板と前記赤外線受光基板間の制御信号を送受信するワイヤとを有し、前記メイン基板は、配線レイアウトの行われない所定部分に、基板上に前記ワイヤを懸架するために使用時に分離可能なスペーサが少なくとも１つ形成されると共に、前記ワイヤを懸架する所定の箇所には、前記スペーサを立設する貫通穴と、当該貫通穴に立設されたスペーサの回転を規制する回転規制突起が形成され、前記スペーサは、上部に前記ワイヤが挿入可能な程度の幅を有する開放部が設けられると共に下部に水平部を有した略Ｃ字状のホルダー部と、ホルダー部の開放部に対向する位置から下方に基板厚と略同一の長さだけ直線状に伸延する支持部と、支持部よりも拡幅し、支持部に略逆Ｔ字状に繋がる係止部とを有すると共に、当該係止部とメイン基板本体とがミシン目を介して使用時に分離可能に配置されて成り、前記貫通穴は、スペーサの前記係止部の幅より若干大きい長辺と、前記係止部の板厚より若干大きい短辺とを有する方形穴と、当該方形穴の中心にその中心が略一致し、スペーサの前記支持部より若干大きい直径を有する円形穴とが合体して成り、前記回転規制突起は、前記円形穴と同心で前記ホルダー部の水平部長さ以下の直径を有した円周上に、前記方形穴に対する直交線を挟んでスペーサの前記ホルダ部の板厚と同じか若干大きい距離だけ離間して相対するように方形穴の両側に各々1対、計４つの円形ランドをパターン成形すると共に、当該円形ランドに半田付けを行なうことで形成し、前記テレビジョンの組立て時には、前記スペーサを前記メイン基板から分離し、係止部をメイン基板に設けられた前記貫通穴に挿入した後に支持部をメイン基板断面高さに一致させて、支持部中心に円形穴内で９０°回転させてホルダー部の水平部の両端を各々、対応する対の回転規制突起の一方を乗り越えさせて、回転規制突起間に位置させることで回転方向の位置固定を行い所定の位置に立設した後、メイン基板と前記赤外線受光基板間の制御信号を送受信するワイヤをスペーサのホルダ部の前記開放部から挿入して環内に把持することで、ワイヤを所定の位置に懸架せしめる構成としている。
【００８９】
上記のように構成した請求項８に記載の発明によれば、メイン基板の所定部分を利用したスペーサがメイン基板に設けられた貫通穴に挿入、回転係止された上、基板上の回転規制突起がスペーサの水平部に係合することで回転方向が固定されてメイン基板上に立設され、当該スペーサのホルダー部でメイン基板と前記赤外線受光基板間の制御信号を送受信するワイヤが、メイン基板の所定部分を有効利用し、安価で容易且つ確実に懸架支持される。
【産業上の利用可能性】
【００９０】
メイン基板の所定部分に形成されたスペーサをメイン基板の所定位置に設けた貫通穴に挿入回転させ、回転規制突起で回転方向を規制固定するようにし、当該スペーサでワイヤを懸架支持するようにしたので、基板上に配線接続されるワイヤを、安価で容易且つ確実に所定の位置に懸架するワイヤ処理構造、及び当該ワイヤ処理構造を適用したテレビジョンを提供する。
【図面の簡単な説明】
【００９１】
【図１】本発明の実施例１を説明するブロック図である。
【図２】本発明の実施例１を説明する部分斜視図である。
【図３】本発明の実施例１を説明する部分拡大図である。
【図４】本発明の実施例１を説明する部分拡大図である。
【図５】本発明の実施例１を説明する模式図である。
【図６】本発明の他の実施例を説明する模式図である。
【図７】本発明の他の実施例を説明する模式図である。
【図８】本発明の他の実施例を説明する部分拡大図である。
【図９】本発明の他の実施例を説明する部分拡大図である。
【図１０】本発明の他の実施例を説明する模式図である。
【図１１】従来技術を説明する部分斜視図である。
【符号の説明】
【００９２】
１１…テレビジョン及び電子機器としてのデジタルＣＲＴテレビ
１１ａ…ディスプレイとしてのＣＲＴディスプレイ
１１ｃ…チューナとしてのデジタルチューナ
１２…プリント配線基板としてのメイン基板
１５…回転規制突起
１６…ワイヤ
１７…スペーサ
１７ａ…ホルダー部
１７ａ１…開放部
１７ａ２…水平部
１７ｂ…支持部
１７ｃ…係止部
１８…貫通穴
１８ａ…方形穴
１８ｂ…円形穴
１９…不要部分
【図１】
2008243955.tif 000003
【図２】
2008243955.tif 000004
【図３】
2008243955.tif 000005
【図４】
2008243955.tif 000006
【図５】
2008243955.tif 000007
【図６】
2008243955.tif 000008
【図７】
2008243955.tif 000009
【図８】
2008243955.tif 000010
【図９】
2008243955.tif 000011
【図１０】
2008243955.tif 000012
【図１１】
2008243955.tif 000013